(57)【要約】【課題】  画面転送型シンクライアントシステムにおいて、シンクライアント端末がサーバと接続できなくなると、ユーザはサーバに存在する仮想ＰＣを利用することができなくなる。【解決手段】  サーバ装置に送信した第一の信号に応じて受信した仮想ＰＣの暗号化マスタファイルを所定の履歴番号とともに保存後、所定の時間間隔で、サーバ装置に送信した第二の信号に応じて受信した暗号化差分ファイルを履歴番号に対して差分ファイルの受信毎に所定の正数が加算された履歴番号とともに保存することを繰り返し、暗号化マスタファイル、全ての暗号化仮想ＰＣ差分ファイルを復号し、復号されたマスタファイルに復号された差分ファイルを履歴番号の小さい順に反映して仮想ＰＣファイルを生成し、仮想ＰＣファイルで仮想ＰＣを実現する。【選択図】      図７
2015225632.tif 000002
【特許請求の範囲】
【請求項１】
第一の所定の操作により、自装置が接続している仮想ＰＣ（Personal Computer）のサーバ装置に送信した第一の信号に応じて受信した前記仮想ＰＣの暗号化マスタファイルを所定の履歴番号とともに保存後、所定の時間間隔で、前記サーバ装置に送信した第二の信号に応じて受信した暗号化差分ファイルを前記履歴番号に対して前記差分ファイルの受信毎に所定の正数が加算された履歴番号とともに保存することを繰り返す端末側複製エージェント手段と、
第二の所定の操作により、前記保存された暗号化マスタファイル、前記保存された全ての暗号化仮想ＰＣ差分ファイルを復号し、前記復号されたマスタファイルに前記復号された差分ファイルを前記履歴番号の小さい順に反映して仮想ＰＣファイルを生成する復旧手段と、
前記生成された仮想ＰＣファイルで仮想ＰＣを実現するハイパーバイザー手段と
を備えることを特徴とするシンクライアント端末装置。
【請求項２】
少なくとも一つの仮想ＰＣを有する仮想ＰＣ手段と、
シンクライアント端末装置より受信した第一の信号にもとづき出力した第二の信号に応じて入力された第三の信号により対応する暗号化マスタファイルを取得して前記シンクライアント端末装置に送信し、前記シンクライアント端末装置より受信した第四の信号にもとづき出力した第五の信号に応じて入力された第六の信号により対応する暗号化差分ファイルを取得して前記シンクライアント端末装置に送信するサーバ側複製エージェント手段と、
入力された前記第二の信号により前記暗号化マスタファイルを作成して前記サーバ側複製エージェント手段が取得可能に保存し、前記第三の信号を出力し、入力された前記第五の信号により前記暗号化差分ファイルを作成して前記サーバ側複製エージェント手段が取得可能に保存し、前記第六の信号を出力する複製手段と
を備えることを特徴とするサーバ装置。
【請求項３】
第一の所定の操作により、シンクライアント端末装置が接続している仮想ＰＣのサーバ装置に送信した第一の信号に応じて受信した前記仮想ＰＣの暗号化マスタファイルを所定の履歴番号とともに保存後、所定の時間間隔で、前記サーバ装置に送信した第二の信号に応じて受信した暗号化差分ファイルを前記履歴番号に対して前記差分ファイル受信毎に所定の正数が加算された履歴番号とともに保存することを繰り返す端末側複製エージェント工程と、
第二の所定の操作により、前記保存された暗号化マスタファイル、前記保存された全ての暗号化仮想ＰＣ差分ファイルを復号し、前記復号されたマスタファイルに前記復号された差分ファイルを前記履歴番号の小さい順に反映して仮想ＰＣファイルを生成する復旧工程と、
前記生成された仮想ＰＣファイルで仮想ＰＣを実現するハイパーバイザー工程と
を備えることを特徴とするシンクライアント端末装置の制御方法。
【請求項４】
シンクライアント端末装置より受信した第一の信号にもとづき出力した第二の信号に応じて入力された第三の信号により対応する暗号化マスタファイルを取得して前記シンクライアント端末装置に送信し、前記シンクライアント端末装置より受信した第四の信号にもとづき出力した第五の信号に応じて入力された第六の信号により対応する暗号化差分ファイルを取得して前記シンクライアント端末装置に送信するサーバ側複製エージェント工程と、
入力された前記第二の信号により前記暗号化マスタファイルを作成して前記サーバ側複製エージェント工程で取得可能に保存し、前記第三の信号を出力し、入力された前記第五の信号により前記暗号化差分ファイルを作成して前記サーバ側複製エージェント工程で取得可能に保存し、前記第六の信号を出力する複製工程と
を備えることを特徴とするサーバ装置の制御方法。
【請求項５】
シンクライアント端末装置を構成するコンピュータに、
第一の所定の操作により、前記シンクライアント端末装置が接続している仮想ＰＣのサーバ装置に送信した第一の信号に応じて受信した前記仮想ＰＣの暗号化マスタファイルを所定の履歴番号とともに保存後、所定の時間間隔で、前記サーバ装置に送信した第二の信号に応じて受信した暗号化差分ファイルを前記履歴番号に対して前記差分ファイル受信毎に所定の正数が加算された履歴番号とともに保存することを繰り返す端末側複製エージェント処理と、
第二の所定の操作により、前記保存された暗号化マスタファイル、前記保存された全ての暗号化仮想ＰＣ差分ファイルを復号し、前記復号されたマスタファイルに前記復号された差分ファイルを前記履歴番号の小さい順に反映して仮想ＰＣファイルを生成する復旧処理と、
前記生成された仮想ＰＣファイルで仮想ＰＣを実現するハイパーバイザー処理と
を実行させることを特徴とするプログラム。
【請求項６】
サーバ装置を構成するコンピュータに、
シンクライアント端末装置より受信した第一の信号にもとづき出力した第二の信号に応じて入力された第三の信号により対応する暗号化マスタファイルを取得して前記シンクライアント端末装置に送信し、前記シンクライアント端末装置より受信した第四の信号にもとづき出力した第五の信号に応じて入力された第六の信号により対応する暗号化差分ファイルを取得して前記シンクライアント端末装置に送信するサーバ側複製エージェント処理と、
入力された前記第二の信号により前記暗号化マスタファイルを作成して前記サーバ側複製エージェント工程で取得可能に保存し、前記第三の信号を出力し、入力された前記第五の信号により前記暗号化差分ファイルを作成して前記サーバ側複製エージェント工程で取得可能に保存し、前記第六の信号を出力する複製処理と
を実行させることを特徴とするプログラム。
【発明の詳細な説明】
【技術分野】
【０００１】
本発明は、シンクライアント端末装置、サーバ装置、方法、およびプログラムに関する。
【背景技術】
【０００２】
サーバ・クライアントシステムにおいて、クライアント端末がネットワークでの通信断等によりサーバと接続できなくなると、ユーザはサーバに存在する実行中のデータ等を使用できなくなる。
【０００３】
このような問題を解決する技術が特許文献１に記載されている。すなわち、特許文献１に記載のリモート操作システムはサーバとクライアント装置とから成る。サーバは、ネットワークを介して接続されるクライアント装置から送信される操作信号にもとづいて実行するアプリケーションの表示用データを生成し、更新毎にクライアント装置に伝送する通信手段を備える。クライアント装置は、ネットワークの接続状態を監視する接続監視手段と、接続監視手段により接続断の可能性があると判断された場合は接続断の可能性ありの旨をサーバに通知する通知手段とを備える。サーバは、さらにアプリケーションにより実行中のファイルデータを伝送する伝送手段を備え、伝送手段は前記接続断の可能性ありの旨の通知を受信した場合に、表示用データの伝送より優先して実行中のファイルデータを伝送する。これにより、クライアント装置がサーバと接続できなくなっても、ユーザはクライアント装置が有するアプリケーションで実行していたファイルデータを使用することが可能となる。
【先行技術文献】
【特許文献】
【０００４】
【特許文献１】特開２０１１−０７６２５１号公報
【発明の概要】
【発明が解決しようとする課題】
【０００５】
特許文献１に記載の技術において、クライアント装置がサーバと接続できなくなっても、ユーザはクライアント装置が有するアプリケーションで実行していたファイルデータを使用することが可能である。しかしながら、特許文献１に記載の技術においては、クライアント装置がサーバと接続できなくなると、サーバに存在する仮想ＰＣ（Personal Computer）は利用することができなくなる。
【０００６】
つまり、画面転送型シンクライアントシステムにおいて、シンクライアント端末がサーバと接続できなくなると、ユーザはサーバに存在する仮想ＰＣを利用することができなくなることが課題である。
【０００７】
本発明の目的は、この課題を解決するシンクライアント端末装置、サーバ装置、方法、およびプログラムを提供することである。
【課題を解決するための手段】
【０００８】
本発明のシンクライアント端末装置は、外部からの第一の所定の操作により、自装置が接続している仮想ＰＣのサーバ装置に送信した第一の信号に応じて受信した前記仮想ＰＣの暗号化マスタファイルを所定の履歴番号とともに保存後、所定の時間間隔で、前記サーバ装置に送信した第二の信号に応じて受信した暗号化差分ファイルを前記履歴番号に対して前記差分ファイルの受信毎に所定の正数が加算された履歴番号とともに保存することを繰り返す端末側複製エージェント手段と、外部からの第二の所定の操作により、前記保存された暗号化マスタファイル、前記保存された全ての暗号化仮想ＰＣ差分ファイルを復号し、前記復号されたマスタファイルに前記復号された差分ファイルを前記履歴番号の小さい順に反映して仮想ＰＣファイルを生成する復旧手段と、前記生成された仮想ＰＣファイルで仮想ＰＣを実現するハイパーバイザー手段とを備えることを特徴とする。
【０００９】
本発明のシンクライアント端末装置の制御方法は、第一の所定の操作により、シンクライアント端末装置が接続している仮想ＰＣのサーバ装置に送信した第一の信号に応じて受信した前記仮想ＰＣの暗号化マスタファイルを所定の履歴番号とともに保存後、所定の時間間隔で、前記サーバ装置に送信した第二の信号に応じて受信した暗号化差分ファイルを前記履歴番号に対して前記差分ファイル受信毎に所定の正数が加算された履歴番号とともに保存することを繰り返す端末側複製エージェント工程と、第二の所定の操作により、前記保存された暗号化マスタファイル、前記保存された全ての暗号化仮想ＰＣ差分ファイルを復号し、前記復号されたマスタファイルに前記復号された差分ファイルを前記履歴番号の小さい順に反映して仮想ＰＣファイルを生成する復旧工程と、前記生成された仮想ＰＣファイルで仮想ＰＣを実現するハイパーバイザー工程とを備えることを特徴とする。
【発明の効果】
【００１０】
本発明によれば、画面転送型シンクライアントシステムにおいて、シンクライアント端末がサーバと接続できなくなっても、ユーザはサーバに存在する仮想ＰＣを利用することが可能となる。
【図面の簡単な説明】
【００１１】
【図１】本発明の第１の実施形態におけるシンクライアントシステムの構成例を示す図である。
【図２】本発明の第１の実施形態におけるシンクライアント端末に暗号化仮想ＰＣマスタファイルを保存する手順を示すフローチャートである。
【図３】本発明の第１の実施形態における複製実行サーバの複製管理メモリ部に格納される情報の例を示す表である。
【図４】本発明の第１の実施形態におけるシンクライアント端末にＮ個の暗号化仮想ＰＣ差分ファイルを保存する手順を示すフローチャートである。
【図５】本発明の第１の実施形態における複製実行サーバの複製管理メモリ部に格納される情報の例を示す表である。
【図６】本発明の第１の実施形態におけるシンクライアント端末で仮想ＰＣの複製により仮想ＰＣを実行する手順を示すフローチャートである。
【図７】本発明の第２の実施形態におけるシンクライアント端末装置の構成例を示す図である。
【発明を実施するための形態】
【００１２】
本発明の第１の実施形態について、図面を参照して説明する。
【００１３】
図１は本実施形態におけるシンクライアントシステムの構成例を示す。本シンクライアントシステムは、シンクライアント端末１０、仮想ＰＣ実行サーバ２０、複製実行サーバ３０を有する。
【００１４】
シンクライアント端末１０は、画面転送処理部１１、メモリ部１２、緊急時実行部１３、複製管理メモリ部１４を有する。
【００１５】
画面転送処理部１１は、端末側複製エージェント部１１１を有し、仮想ＰＣと通信を行って受信した画面を表示し、ユーザのマウスやキーボード操作等の入力情報を仮想ＰＣに送信する。
【００１６】
メモリ部１２には、複製実行サーバ３０から送信された暗号化仮想ＰＣマスタファイルおよびＮ個の暗号化仮想ＰＣ差分ファイルが格納される。また、緊急時に緊急時実行部１３上の復旧部１３１により暗号化仮想ＰＣマスタファイルとＮ個の暗号化仮想ＰＣ差分ファイルから生成された復号済仮想ＰＣファイルが格納される。
【００１７】
緊急時実行部１３は、復旧部１３１、ハイパーバイザー部１３２を有し、シンクライアント端末１０が仮想ＰＣ実行サーバ２０と接続できない状況になった際に動作する。
【００１８】
復旧部１３１は、暗号化仮想ＰＣマスタファイルとＮ個の暗号化仮想ＰＣ差分ファイルから復号済み仮想ＰＣファイルを生成する。
【００１９】
ハイパーバイザー部１３２は、メモリ部１２に格納されている仮想ＰＣファイルを実行して仮想ＰＣ２１を実現する。ハイパーバイザー部１３２は、同時に複数の仮想ＰＣ２１を実現可能である。
【００２０】
複製管理メモリ部１４には、ファイル名が履歴番号とともに登録される。
【００２１】
仮想ＰＣ実行サーバ２０は、仮想ＰＣ２１、ハイパーバイザー部２２、メモリ部２３を有する。
【００２２】
仮想ＰＣ２１は、サーバ側複製エージェント部２１１を有する。
【００２３】
サーバ側複製エージェント部２１１は、複製実行サーバ３０のメモリ部３３に格納されている暗号化仮想ＰＣマスタファイルとＮ個の暗号化仮想ＰＣ差分ファイルをシンクライアント端末１０に送信する。
【００２４】
ハイパーバイザー部２２は、メモリ部２３に格納されている仮想ＰＣファイルを実行して仮想ＰＣ２１を実現する。ハイパーバイザー部２２は、同時に複数の仮想ＰＣ２１を実現可能である。
【００２５】
メモリ部２３には、仮想ＰＣファイルとＮ個の仮想ＰＣ差分ファイルが格納される。
【００２６】
複製実行サーバ３０は、複製実行部３１、複製管理メモリ部３２、メモリ部３３を有し、メモリ部２３の仮想ＰＣファイルの複製および暗号化を行う。
【００２７】
複製実行部３１は、暗号化仮想ＰＣマスタファイルとＮ個の暗号化仮想ＰＣ差分ファイルを生成する。
【００２８】
複製管理メモリ部３２には、仮想ＰＣ名、ファイル名が履歴番号とともに登録される。
【００２９】
メモリ部３３には、複製実行部３１により生成された暗号化仮想ＰＣマスタファイルとＮ個の暗号化仮想ＰＣ差分ファイルが格納される。
【００３０】
上述の構成例を踏まえ、本実施形態におけるシンクライアントシステムの動作について、図面を参照して説明する。
【００３１】
なお、本実施形態において、画面転送処理部１１と仮想ＰＣ２１とが画面転送通信を行っている状態で、仮想ＰＣ実行サーバ２０からシンクライアント端末１０に暗号化仮想ＰＣマスタファイル、Ｎ個の暗号化仮想ＰＣ差分ファイルを送信しておく。緊急時に、シンクライアント端末１０において、それらのファイルにより仮想ＰＣ２１の実現を行う。
【００３２】
上述の動作は、次の３つの動作に分けられる。
【００３３】
すなわち、端末の仮想ＰＣ複製取得動作、端末の仮想ＰＣ複製差分取得動作、緊急時における端末での複製による仮想ＰＣ実現動作の３つである。
【００３４】
まず、端末の仮想ＰＣ複製取得動作について、図２を参照して説明する。
【００３５】
ユーザの操作によりシンクライアント端末１０で仮想ＰＣ複製オペレーションが開始される（Ｓ２０１）。仮想ＰＣ複製オペレーションの開始により、端末側複製エージェント部１１１が仮想ＰＣ２１のサーバ側複製エージェント部２１１にマスタ複製を要求する（Ｓ２０２）。サーバ側複製エージェント部２１１はマスタ複製の要求により複製実行部３１に自仮想ＰＣ名を通知してマスタ複製を要求する（Ｓ２０３）。複製実行部３１はマスタ複製の要求により仮想ＰＣ２１のスナップショット作成を行い、メモリ部２３上の仮想ＰＣファイルに以降の更新が反映されないようにする。また、複製実行部３１は仮想ＰＣファイルを複製実行サーバ３０のメモリ部３３にコピーし、暗号化を施して、暗号化仮想ＰＣマスタファイルとする（Ｓ２０４）。複製実行部３１は複製管理メモリ部３２に対象となる仮想ＰＣ２１の仮想ＰＣ名と暗号化仮想ＰＣマスタファイルのファイル名を履歴番号０として新規登録する（Ｓ２０５）。図３は複製実行サーバ３０の複製管理メモリ部３２に格納される情報の例を示す。仮想ＰＣ名、履歴番号、ファイル名が対応付けられて登録されている。複製実行部３１はサーバ側複製エージェント部２１１に仮想ＰＣ複製完了の旨と暗号化仮想ＰＣマスタファイルのファイル名を通知する。サーバ側複製エージェント部２１１はその通知により複製管理メモリ部３２を参照してメモリ部３３の暗号化仮想ＰＣマスタファイルを端末側複製エージェント部１１１に送信する（Ｓ２０６）。端末側複製エージェント部１１１は受信した暗号化仮想ＰＣマスタファイルをメモリ部１２に保存し、複製管理メモリ部１４に暗号化仮想ＰＣマスタファイルのファイル名を履歴番号０として新規登録する（Ｓ２０７）。
【００３６】
次に、端末の仮想ＰＣ複製差分取得動作について、図４を参照して説明する。
【００３７】
上記の仮想ＰＣ複製オペレーション終了後、所定時間が経過すると、端末側複製エージェント部１１１が仮想ＰＣ２１のサーバ側複製エージェント部２１１に差分複製を要求する（Ｓ４０１）。サーバ側複製エージェント部２１１は差分複製の要求により複製実行部３１に自仮想ＰＣ名を通知して差分複製を要求する（Ｓ４０２）。複製実行部３１は差分複製の要求により仮想ＰＣ２１のスナップショット作成を行い、前回のスナップショット生成以降の仮想ＰＣ２１の更新データをメモリ部２３上に仮想ＰＣ差分ファイルとして生成する。また、複製実行部３１は仮想ＰＣファイルを複製実行サーバ３０のメモリ部３３にコピーし、暗号化を施して、暗号化仮想ＰＣ差分ファイルとする（Ｓ４０３）。複製実行部３１は複製管理メモリ部３２に対象となる仮想ＰＣ２１の仮想ＰＣ名と暗号化仮想ＰＣ差分ファイルのファイル名を当該仮想ＰＣ名で既に行われている登録の最大の履歴番号に１を加えた値を履歴番号として追加登録する（Ｓ４０４）。図５は複製実行サーバ３０の複製管理メモリ部３２に格納される情報の例を示す表である。図３で登録されたVPC000A0001の仮想ＰＣについて履歴番号１、２が対応するファイル名と共に追加登録されている。また、VPC000A0002の仮想ＰＣが新規登録されている。複製実行部３１はサーバ側複製エージェント部２１１に仮想ＰＣ差分複製完了の旨と暗号化仮想ＰＣ差分ファイルのファイル名を通知する。サーバ側複製エージェント部２１１はその通知により複製管理メモリ部３２を参照してメモリ部３３の暗号化仮想ＰＣ差分ファイルを端末側複製エージェント部１１１に送信する（Ｓ４０５）。端末側複製エージェント部１１１は受信した暗号化仮想ＰＣ差分ファイルをメモリ部１２に保存する。次に、端末側複製エージェント部１１１は複製管理メモリ部１４に暗号化仮想ＰＣ差分ファイルのファイル名を当該仮想ＰＣ名で既に行われている登録の最大の履歴番号に１を加えた値を履歴番号として追加登録する（Ｓ４０６）。
【００３８】
上述の動作を所定の時間間隔で行う。これによりＮ個の暗号化仮想ＰＣ差分ファイルがシンクライアント端末１０に保存される。
【００３９】
次に、緊急時における端末での複製による仮想ＰＣ実現動作について、図６を参照して説明する。
【００４０】
シンクライアント端末１０が仮想ＰＣ実行サーバ２０に接続できない等の緊急時、ユーザの操作によりシンクライアント端末１０で復旧オペレーションが開始される（Ｓ６０１）。復旧オペレーションの開始により、復旧部１３１は暗号化仮想ＰＣマスタファイル、Ｎ個の暗号化仮想ＰＣ差分ファイルを全て復号する。次に、復旧部１３１は複製管理メモリ部１４を参照しながら復号済みの仮想ＰＣマスタファイルに復号済みの仮想ＰＣ差分ファイルを履歴番号の小さい順に反映して復号済み仮想ＰＣファイルを生成し、メモリ部１２に格納する（Ｓ６０２）。復旧部１３１はハイパーバイザー部１３２を起動し、ハイパーバイザー部１３２はメモリ部１２から復号済み仮想ＰＣファイルを読み込み、実行して仮想ＰＣを実現する（Ｓ６０３）。
【００４１】
以上のように、シンクライアント端末がサーバと接続できなくなっても、シンクライアント端末で仮想ＰＣを実現することが可能となる。
【００４２】
このように、画面転送型シンクライアントシステムにおいて、シンクライアント端末がサーバと接続できなくなっても、ユーザはサーバに存在する仮想ＰＣを利用することが可能となる。
【００４３】
なお、一般的に、シンクライアント端末にはプログラム搭載やデータ保存が可能なものがあるが、本実施形態においては、シンクライアント端末に保存されるファイルが暗号化されていることにより、データの漏洩等に対するセキュリティが施されている。
【００４４】
次に、本発明の第２の実施形態について、図面を参照して説明する。
【００４５】
図７は本実施形態におけるシンクライアント端末装置の構成例を示す。シンクライアント端末装置５０は、端末側複製エージェント部５１、復旧部５２、ハイパーバイザー部５３を備える。
【００４６】
端末側複製エージェント部５１は、仮想ＰＣのマスタ複製の要求信号を送信し、暗号化マスタファイルを所定の履歴番号とともに保存する。また、端末側複製エージェント部５１は、所定の時間間隔で、仮想ＰＣの差分複製の要求信号を送信し、暗号化差分ファイルを所定の履歴番号に対して差分ファイル受信毎に所定の正数が加算された履歴番号とともに保存することを繰り返す。
【００４７】
復旧部５２は、暗号化マスタファイル、暗号化仮想ＰＣ差分ファイルを復号し、復号されたマスタファイルに復号された差分ファイルを前記履歴番号の小さい順に反映して仮想ＰＣファイルを生成する。
【００４８】
ハイパーバイザー部５３は、仮想ＰＣファイルで仮想ＰＣを実現する。
【００４９】
次に、本実施形態におけるシンクライアント端末装置５０の動作について、図７を参照して説明する。
【００５０】
ユーザの操作によりシンクライアント端末装置５０で仮想ＰＣ複製オペレーションが開始され、端末側複製エージェント部５１が自装置の接続しているサーバ装置に仮想ＰＣのマスタ複製の要求信号を送信する。端末側複製エージェント部５１はマスタ複製要求信号に応じて受信した暗号化マスタファイルを所定の履歴番号とともに保存する。端末側複製エージェント部５１は、その後、所定の時間間隔で、サーバ装置に仮想ＰＣの差分複製の要求信号を送信する。端末側複製エージェント部５１は差分複製要求信号に応じて受信した暗号化差分ファイルを履歴番号に対して差分ファイル受信毎に所定の正数が加算された履歴番号とともに保存することを繰り返す。
【００５１】
シンクライアント端末装置５０がサーバ装置に接続できない等の緊急時、ユーザの操作によりシンクライアント端末装置５０で復旧オペレーションが開始される。次に、復旧部５２が保存された暗号化マスタファイル、保存された全ての暗号化仮想ＰＣ差分ファイルを復号する。復旧部５２は復号されたマスタファイルに復号された差分ファイルを履歴番号の小さい順に反映して仮想ＰＣファイルを生成する。
【００５２】
次に、ハイパーバイザー部５３が生成された仮想ＰＣファイルで仮想ＰＣを実現する。
【００５３】
以上のように、シンクライアント端末がサーバと接続できなくなっても、シンクライアント端末で仮想ＰＣを実現することが可能となる。
【００５４】
このように、画面転送型シンクライアントシステムにおいて、シンクライアント端末がサーバと接続できなくなっても、ユーザはサーバに存在する仮想ＰＣを利用することが可能となる。
【００５５】
なお、一般的に、シンクライアント端末にはプログラム搭載やデータ保存が可能なものがあるが、本実施形態においては、シンクライアント端末に保存されるファイルが暗号化されていることにより、データの漏洩等に対するセキュリティが施されている。
【産業上の利用可能性】
【００５６】
本発明は、シンクライアント端末装置、サーバ装置、方法、およびプログラムに利用可能である。
【符号の説明】
【００５７】
１０    シンクライアント端末
１１    画面転送処理部
１２、２３、３３    メモリ部
１３    緊急時実行部
１４、３２    複製管理メモリ部
２０    仮想ＰＣ実行サーバ
２１    仮想ＰＣ
２２、１３２    ハイパーバイザー部
３０    複製実行サーバ
３１    複製実行部
５０    シンクライアント端末装置
５１    端末側複製エージェント部
５２    復旧部
５３    ハイパーバイザー部
１１１    端末側複製エージェント部
１３１    復旧部
２１１    サーバ側複製エージェント部
【図１】
2015225632.tif 000003
【図２】
2015225632.tif 000004
【図３】
2015225632.tif 000005
【図４】
2015225632.tif 000006
【図５】
2015225632.tif 000007
【図６】
2015225632.tif 000008
【図７】
2015225632.tif 000009